(57)【要約】【課題】無線装置のアンテナの交換を容易にする。【解決手段】アンテナ１０は、ねじ６０が通る穴１１を有する。筐体２０の上ケース３０は、アンテナ１０が挿脱される開口部３２、ねじ６０のねじ穴３３を有する。筐体２０の下ケース４０は、ねじ６０が通る穴４２を有する。アンテナ１０を開口部３２に挿し込み、ねじ６０を下ケースの穴４２、アンテナ１０の穴１１に通し、ねじ穴３３に締め、アンテナ１０を上ケース３０、下ケース４０に固定する。【選択図】　　　　図１
2004064211.tif 000002
【特許請求の範囲】
【請求項１】
携帯端末に装着され通信を行う無線装置において、
第１の穴を有するアンテナと、
第２の穴、前記アンテナが挿脱される開口部及びねじ穴を有する筐体と、
前記筐体の外側から、前記第２の穴及び前記開口部に挿し込まれた前記アンテナの第１の穴を通り、前記ねじ穴に締められ、前記アンテナを前記筐体に固定するねじと、
を有することを特徴とする無線装置。
【請求項２】
前記第１の穴には、前記ねじ及び前記ねじ穴と電気的に絶縁される絶縁ブッシュが挿入されたことを特徴とする請求項１記載の無線装置。
【請求項３】
前記筐体内部に固定される回路基板は、前記アンテナが前記開口部に差し込まれたとき、前記アンテナと接触する給電ばねを有することを特徴とする請求項１記載の無線装置。
【請求項４】
前記筐体は、前記アンテナの挿脱線上に前記ねじ穴が形成された柱状のボスを有し、
前記アンテナは、前記開口部に挿し込まれたとき、前記ボスに接触して挿し込みが止められることを特徴とする請求項１記載の無線装置。
【請求項５】
前記筐体は、
回路基板の一端を支持するリブと、
前記回路基板を前記リブ方向へ押圧して固定するつめと、
を有することを特徴とする請求項１記載の無線装置。
【発明の詳細な説明】
【０００１】
【発明の属する技術分野】
本発明は無線装置に関し、特に携帯端末のソケットに装着され通信を行う無線装置に関する。
【０００２】
【従来の技術】
現在、ＰＤＡ（Ｐｅｒｓｏｎａｌ　Ｄｉｇｉｔａｌ　Ａｓｓｉｓｔａｎｔ）などの携帯端末を用いて、家庭や職場以外の外部からインターネットやコンピュータシステムへアクセスすることが可能となっている。このような接続は、携帯端末のソケットにコンパクトフラッシュ（登録商標）型の無線装置を装着し、ＰＨＳや携帯電話の回線網に無線接続して行われている。コンパクトフラッシュ型の無線装置は、携帯端末に装着するため小型にできており、その大きさやインターフェースなどは規格で定まっている。
【０００３】
コンパクトフラッシュ型の無線装置は、携帯端末のソケットに装着され、アンテナを立てて使用する。そのため、アンテナ部分は、携帯端末の落下時などの負荷によって破損しやすい箇所である。従来アンテナは、筐体の内部で固定されていたため、アンテナ部分が破損した場合は、筐体を分解してからアンテナを外し交換する必要があった。具体的には、筐体が上下２つのケースからなり、アンテナは一方のケースの内側にねじなどで固定されていた。そして、一方のケースと他方のケースを組み合わせる構造となっていた。従って、アンテナを交換するには、上下ケースに分解する必要があった。
【０００４】
【発明が解決しようとする課題】
しかしながら、コンパクトフラッシュ型の無線装置は小型で、内部には隙間なく部品が搭載されており、筐体を分解して再び組み立てることは一定の技術を要し、困難である。このため、破損しやすい箇所であるアンテナが破損した場合、交換が、例えば近くのサービス店などで行うことが不可能であり、不便であるという問題点があった。
【０００５】
本発明はこのような点に鑑みてなされたものであり、容易にアンテナ交換ができる無線装置を提供することを目的とする。
【０００６】
【課題を解決するための手段】
本発明では、上記課題を解決するために、図１に示す携帯端末に装着され通信を行う無線装置において、第１の穴１１を有するアンテナ１０と、第２の穴４２、アンテナ１０が挿脱される開口部３２及びねじ穴３３を有する筐体２０と、筐体２０の外側から、第２の穴４２及び開口部３２に挿し込まれたアンテナ１０の第１の穴を通り、ねじ穴３３に締められ、アンテナ１０を筐体２０に固定するねじ６０と、を有することを特徴とする無線装置が提供される。
【０００７】
このような無線装置によれば、筐体２０を分解することなく、ねじ６０を外すだけでアンテナ１０を取り外すことが可能となる。
【０００８】
【発明の実施の形態】
以下、本発明の実施の形態を図面を参照して詳細に説明する。
図２は、本発明の無線装置の使用状態を示す斜視図である。図には、コンパクトフラッシュ型の無線装置１、携帯端末であるＰＤＡ２が示してある。
【０００９】
無線装置１は、ＰＤＡ２のソケット２ａに挿し込まれて使用される。ＰＤＡ２は、無線装置１を介してＰＨＳや携帯電話の回線網に接続して、所望のコンピュータシステムやインターネットにアクセスしデータ通信を行う。
【００１０】
図１は、本発明の無線装置の分解図、図３は、本発明の無線装置のアンテナが外されている状態の斜視図である。図示のように無線装置は、アンテナ１０、筐体２０、回路基板５０、ねじ６０から構成される。
【００１１】
アンテナ１０は、ねじ６０が通るための穴１１を有している。また、アンテナ１０は、給電端子１２を有している。アンテナ１０は、ヘリカル２方向回転式アンテナである。
【００１２】
筐体２０は、樹脂からなる上ケース３０、下ケース４０から構成される。図１に示すように、上ケース３０、下ケース４０は、枠状の形状を有している。上ケース３０、下ケース４０は、その枠状に沿った形状の板金からなる上ブタ３１、下ブタ４１が、両面テープで取り付けられる。これにより、強度の強い筐体２０が実現される。
【００１３】
上ケース３０は、アンテナ１０が挿脱される開口部３２を有している。また、上ケース３０は、ねじ６０を受けるねじ穴３３を有している。下ケース４０は、ねじ６０が通る（頭は通らない）穴４２を有している。
【００１４】
回路基板５０は、上ケース３０、下ケース４０の間に納められる。回路基板５０は、アンテナ１０が開口部３２に差し込まれたとき、アンテナ１０の給電端子１２と接触する給電ばね５１を有している。ねじ６０は、真鍮を材料とし、ニッケルメッキがされている。
【００１５】
アンテナ１０が開口部３２に挿し込まれると、アンテナ１０の穴１１は、ねじ穴３３と重なる位置に来るようになっている。そして、ねじ６０を下ケース４０の外側から、下ケース４０の穴４２、アンテナ１０の穴１１に通し、上ケース３０のねじ穴３３に締め付けることによって、アンテナ１０が上ケース３０と下ケース４０とに固定される。
【００１６】
すなわち、アンテナ１０は、ねじ６０を外すことによって、上ケース３０、下ケース４０に分解することなく、筐体２０から外すことができる。よって、容易にアンテナ交換ができる。
【００１７】
図４は、本発明の無線装置の上面図、図５は、本発明の無線装置の側面図、図６は、図４におけるＡ−Ａ断面図である。図１，３と同じものには同じ符号を付し、その詳細な説明は省略する。
【００１８】
図６に示すように、上ケース３０は、アンテナ１０の挿脱線上に柱状のボス３４を有する。ボス３４の内部には、ねじ６０が締め付けられるインサートねじ６１が埋め込まれている。すなわち、インサートねじ６１が、ねじ６０のねじ穴３３となる。これにより、アンテナ１０は、開口部３２に挿し込まれると、挿脱線上にあるボス３４に接触し、必要以上の挿し込みが止められ、必要以上の挿し込みによる給電ばね５１の破損を防止することができる。なお、インサートねじ６１は、真鍮を材料とし、ニッケルメッキがされている。
【００１９】
アンテナ１０は、柱状のボス３４の上面と掛合するつめ１３を有する。これにより、ねじ６０が外されても、給電ばね５１によって、アンテナ１０が開口部３２から飛び出されることを防止することができる。なお、アンテナ１０を開口部３２から抜き出すには、つめ１３が下ケース４０方向（図６において左方向）に移動するようにアンテナ１０に力を加えてから抜き出す。下ケース４０は、樹脂を材料とし、ある程度弾力性を持ちたわむので、つめ１３は、下ケース４０とボス３４の間を通ることが可能である。アンテナ１０を開口部３２に挿し込むときも上記と同様に行う。
【００２０】
アンテナ１０の穴１１には、ブッシュ６２が取り付けられている。ブッシュ６２は、絶縁性に優れたポリアセタール樹脂を材料とする。図７は、ブッシュとアンテナの斜視図である。ブッシュ６２は、アンテナ１０の穴１１の直径より大きい直径を有する円板部６２ａと、アンテナ１０の穴１１に圧入できる、穴１１の直係より少し大きい直径を有する柱状部６２ｂとからなっている。なお、図７には、給電端子１２と上記で説明したつめ１３が示してある。
【００２１】
ねじ６０、インサートねじ６１は、金属であるため、ねじ６０とアンテナ１０の穴１１との接触により、又はインサートねじ６１とアンテナ１０との接触により、アンテナ１０のアンテナ特性が変化してしまう恐れがある。そこで、アンテナ１０の穴１１にブッシュ６２を装着することにより、アンテナ１０の穴１１とねじ６０は、ブッシュ６２の柱状部６２ｂによって非接触となる。アンテナ１０とインサートねじ６１は、ブッシュ６２の円板部６２ａによって非接触となる。これにより、アンテナ１０のアンテナ特性は安定し、安定した通信を行うことができる。
【００２２】
図４〜６の説明に戻る。図６に示すように、回路基板５０は、給電ばね５１を有し、アンテナ１０が開口部３２に挿し込まれることによって、アンテナ１０の給電端子１２と接触する。図８は、アンテナと基板の一部を示した斜視図である。回路基板５０は、Ｕ字状の金メッキされた給電ばね５１を有する。アンテナ１０が、開口部３２に挿し込まれることによって（図中の矢印Ｘ方向）、給電ばね５１は、圧縮され、その圧縮を返そうとする力によって、アンテナ１０の給電端子１２としっかり接触するようになる。これにより給電端子と給電ばねの接触不良による通信エラーを回避でき、安定した通信を行うことができる。
【００２３】
図９は、無線装置の下ケースが外された状態の底面図、図１０は、図９におけるＢ−Ｂ断面図、図１１は、図９におけるＣ矢視から見た無線装置の一部を示した図である。図１，３と同じものには同じ符号を付し、その詳細な説明は省略する。
【００２４】
図示するように、上ケース３０は、一方の側面内側に、つめ３５ａ、３５ｂを有する。つめ３５ａ，３５ｂは、上ケース３０のつめ３５ａ，３５ｂを有する側面内側方向に力が加わると、その力を押し返す弾力を持つ。
【００２５】
他方の側面内側には、リブ３６ａ〜３６ｃを有する。リブ３６ａ，３６ｂは、同一線上に並んで配置される。リブ３６ｃは、リブ３６ａ，３６ｂから、回路基板５０の厚さ分離れた位置に配置される。つめ３５ａ，３５ｂからリブ３６ａ〜３６ｃまでの距離は、回路基板５０の幅より少し小さい距離となっている。
【００２６】
図１２は、図９における無線装置に回路基板を固定する手順を示した図で、（ａ）は固定前、（ｂ）は固定後を示す図である。図１２（ａ）に示すように、まず、回路基板５０の一端をリブ３６ａ，３６ｂとリブ３６ｃの間に嵌める。すなわち、回路基板５０の一端は、リブ３６ａ，３６ｂとリブ３６ｃとの間に支持される。
【００２７】
次いで、図１２（ｂ）に示すように、回路基板５０の他方の一端をつめ３５ａ，３５ｂに嵌める。回路基板５０の幅は、つめ３５ａ，３５ｂからリブ３６ａ〜３６ｃまでの距離より大きいため、回路基板５０は、つめ３５ａ，３５ｂによって、リブ３６ａ〜３６ｃ側の側面に押圧され固定される。
【００２８】
ところで、回路基板５０をねじで上ケース３０に固定すると、ねじの締め付けにより、回路基板５０が適正な位置から多少ずれてしまうことがある。無線装置は、小型であるため、回路基板５０は、上ケース３０に隙間なく搭載されるので、位置がずれた場合、上ケース３０の一部と接触して圧迫し破損する恐れがある。また、回路基板５０にてねじ止めする事により、基板実装範囲に固定用穴の追加、及び回路基板５０に対しての部品回避の影響が出てしまう。これは、小型化への影響となってしまう。
【００２９】
上記では、回路基板５０をつめ３５ａ，３５ｂの弾力によってリブ３６ａ〜３６ｃ方向に押圧し、上ケース３０に固定するので破損する恐れがない。また、回路基板５０を上ケース３０に容易に固定することができ、回路基板５０に固定用穴の追加、部品回避が不要となる。
【００３０】
（付記１）　携帯端末に装着され通信を行う無線装置において、
第１の穴を有するアンテナと、
第２の穴、前記アンテナが挿脱される開口部及びねじ穴を有する筐体と、
前記筐体の外側から、前記第２の穴、前記開口部に挿し込まれた前記アンテナの第１の穴及び前記ねじ穴に通され、前記アンテナを前記筐体に固定するねじと、
を有することを特徴とする無線装置。
【００３１】
（付記２）　前記第１の穴には、前記ねじ及び前記ねじ穴と電気的に絶縁される絶縁ブッシュが挿入されたことを特徴とする付記１記載の無線装置。
（付記３）　前記筐体内部に固定される回路基板は、前記アンテナが前記開口部に差し込まれたとき、前記アンテナと接触する給電ばねを有することを特徴とする付記１記載の無線装置。
【００３２】
（付記４）　前記筐体は、前記アンテナの挿脱線上に前記ねじ穴が形成された柱状のボスを有し、
前記アンテナは、前記開口部に挿し込まれたとき、前記ボスに接触して挿し込みが止められることを特徴とする付記１記載の無線装置。
【００３３】
（付記５）　前記アンテナは、前記ボスの上面と掛合するつめを有することを特徴とする付記４記載の無線装置。
（付記６）　前記筐体は、
回路基板の一端を支持するリブと、
前記回路基板を前記リブ方向へ押圧して固定するつめと、
を有することを特徴とする付記１記載の無線装置。
【００３４】
【発明の効果】
以上説明したように本発明では、アンテナが挿脱される筐体の開口部にアンテナを挿し込み、筐体の外側からねじで、アンテナを筐体に固定するように構成した。これにより、筐体を分解することなく、ねじを外すだけでアンテナが取り外せ、容易にアンテナを交換することができる。
【図面の簡単な説明】
【図１】本発明の無線装置の分解図である。
【図２】本発明の無線装置の使用状態を示す斜視図である。
【図３】本発明の無線装置のアンテナが外されている状態の斜視図である。
【図４】本発明の無線装置の上面図である。
【図５】本発明の無線装置の側面図である。
【図６】図４におけるＡ−Ａ断面図である。
【図７】ブッシュとアンテナの斜視図である。
【図８】アンテナと基板の一部を示した斜視図である。
【図９】無線装置の下ケースが外された状態の底面図である。
【図１０】図９におけるＢ−Ｂ断面図である。
【図１１】図９におけるＣ矢視から見た無線装置の一部を示した図である。
【図１２】図９における無線装置に回路基板を固定する手順を示した図で、（ａ）は固定前、（ｂ）は固定後を示す図である。
【符号の説明】
１　無線装置
２　ＰＤＡ
２ａ　ソケット
１０　アンテナ
１１，４２　穴
１２　給電端子
１３，３５ａ，３５ｂ　つめ
２０　筐体
３０　上ケース
３１　上ブタ
３２　開口部
３３　ねじ穴
３４　ボス
３６ａ〜３６ｃ　リブ
４０　下ケース
４１　下ブタ
５０　回路基板
５１　給電ばね
６０　ねじ
６１　インサートねじ
６２　ブッシュ
【図１】
2004064211.tif 000003
【図２】
2004064211.tif 000004
【図３】
2004064211.tif 000005
【図４】
2004064211.tif 000006
【図５】
2004064211.tif 000007
【図６】
2004064211.tif 000008
【図７】
2004064211.tif 000009
【図８】
2004064211.tif 000010
【図９】
2004064211.tif 000011
【図１０】
2004064211.tif 000012
【図１１】
2004064211.tif 000013
【図１２】
2004064211.tif 000014